(57)【特許請求の範囲】
【請求項１】
各々が前後方向に延びるとともに後端部に左右方向に延びる支点軸を有する複数の鍵と、
取付け部と、前記鍵ごとに設けられ、前記支点軸を支持するための複数の第１支持部とを有し、前記複数の鍵を左右方向に並んだ状態に保持する鍵盤シャーシと、
前記第１支持部と協働して、前記支点軸を支持する軸受を構成することにより、当該支点軸を中心として、前記鍵を回動自在に支持する第２支持部を有し、前記取付け部に着脱自在に取り付けられた支点軸受部材と、を備え、
鍵盤装置の組立時に、前記鍵が前記支点軸を介して前記第１支持部に係合しかつ前記鍵盤シャーシに保持された状態において、前記取付け部は、前記支点軸受部材が取り付けられる際に外部に臨み、当該支点軸受部材が上方または後方から取り付け可能に構成されており、
前記支点軸は、左右の端部が前記鍵の左右の側壁からそれぞれ突出するように形成されており、
前記第１支持部は、
載置面に互いに左右方向に所定間隔を隔てて立設され、互いに対向する左右２つの側壁部と、
これら２つの側壁部から互いに対向するように突出し、前記支点軸の端部の外周面に摺接する左右２つの第１円弧面と、を有し、
前記第２支持部は、前記第１円弧面に対向しかつ前記支点軸の外周面に摺接する第２円弧面を有し、前記載置面に載置された状態で、当該載置面と前記支点軸の間に配置されていることを特徴とする電子鍵盤楽器の鍵盤装置。
【請求項２】
前記各側壁部は、前記支点軸の対向する端面との間に隙間を存するように配置され、前記各第１円弧面は、その突出する端面が前記鍵の対向する前記側壁との間に隙間を存するように配置されていることを特徴とする請求項１に記載の電子鍵盤楽器の鍵盤装置。
【請求項３】
前記取付け部および前記支点軸受部材の一方には、当該支点軸受部材が当該取付け部に取り付けられたときに当該取付け部および当該支点軸受部材の他方に当接し、前記第２円弧面を前記第１円弧面と同心状に配置するための位置決め部が設けられていることを特徴とする請求項１または２に記載の電子鍵盤楽器の鍵盤装置。
【請求項４】
前記支点軸受部材は、複数の前記第２支持部を有していることを特徴とする請求項１ないし３のいずれかに記載の電子鍵盤楽器の鍵盤装置。
【請求項５】
前記鍵盤シャーシは、前記鍵ごとに、互いに前後方向に間隔を隔てて設けられ、押鍵時に、当該鍵の横振れを抑制するための前後２つの横振れ抑制部を、さらに有していることを特徴とする請求項１ないし４のいずれかに記載の電子鍵盤楽器の鍵盤装置。
【発明の詳細な説明】
【技術分野】
【０００１】
本発明は、電子ピアノなどに適用される電子鍵盤楽器の鍵盤装置に関し、特に鍵を回動自在に支持する鍵の支持構造に関する。
【背景技術】
【０００２】
従来、電子鍵盤楽器の鍵盤装置として、特許文献１に開示されたものが知られている。この鍵盤装置は、電子楽器のペダル鍵盤に適用されたものであり、フレームと、このフレームに回動自在に支持され、互いに左右方向に並設された複数の鍵とを備えている。各鍵は、前後方向に延びており、後端部に左右方向に延びる断面円形の支点部を有している。また、フレームの後ろ側の縁部は、鍵の後端部を、その後方から上方にわたって覆うように形成されており、その内側には、鍵ごとに、支点部を支持するための左右一対の支持部が設けられている。各支持部は、１／４円状の円弧曲面を有しており、この円弧曲面によって、鍵の支点部を斜め後ろ上方から支持するように構成されている。また、両支持部の間には、これらの支持部と協働して、鍵の支点部を支持する支点受けピースが取り付けられている。この支点受けピースは、１／２円状の円弧曲面を有しており、この円弧曲面によって、鍵の支点部を下方から支持するように構成されている。
【０００３】
以上のように構成された鍵盤装置では、フレーム側の両支持部および支点受けピースの３つの円弧曲面が、鍵の支点部の軸受けとして機能する。これにより、鍵盤装置の各鍵は、演奏時に踏み込み操作された際に、後端部の支点部を中心として、比較的安定して回動する。
【０００４】
また、この鍵盤装置では、その組立時におけるフレームへの鍵の取付け作業が次のように行われる。すなわち、まず、フレームの両支持部の円弧曲面付近に、支点部が位置するよう、鍵をフレームにセットする。次いで、フレームの両支持部の間に形成されたガイド溝に、支点受けピースを下方から挿入する。そして、この支点受けピースを、ガイド溝に沿って上方にスライドさせ、支点受けピースの下端部を、フレームの内側に設けられた仕切板と一体の棚板の縁部にスナップ結合させることによって係止する。これにより、支点受けピースがフレームに固定され、鍵がフレームに取り付けられる。
【先行技術文献】
【特許文献】
【０００５】
【特許文献１】特許第３０８５０３３号公報
【発明の概要】
【発明が解決しようとする課題】
【０００６】
この鍵盤装置では、フレームに対し、鍵が回動自在にしっかりと取り付けられるものの、組立時におけるフレームへの鍵の取付け作業が煩雑である。すなわち、上述したように、鍵をフレームに取り付ける際には、鍵がセットされたフレームに対し、支点受けピースを両支持部間のガイド溝に下方から挿入する必要がある。この場合、ガイド溝は、フレームの後ろ側の縁部やセットされた鍵、仕切板などによって、前後左右および上側が囲まれた状態になっているため、作業者がガイド溝の位置を容易に視認できないことがある。このため、支点受けピースをガイド溝に挿入する際には、作業者は、ガイド溝をフレームの下方からのぞき込んだり、手探りしたりしながら、ガイド溝の位置を確認し、支点受けピースをガイド溝に挿入しなければならない。特に、多数の鍵に対し、１つずつ支点受けピースを取り付ける場合には、その作業が非常に煩雑であり、鍵盤装置の組立に手間がかかってしまう。また、棚板にスナップ結合によって取り付けられた支点受けピースは、その構造上、外しにくくなっているため、例えば、電子楽器を廃棄処分する際に、鍵盤装置をフレームと鍵とに分解する場合、両者を分解しにくいという問題もある。
【０００７】
本発明は、以上のような課題を解決するためになされたものであり、鍵の安定した回動を確保しながら、組立性および分解性を向上させることができる電子鍵盤楽器の鍵盤装置を提供することを目的とする。
【課題を解決するための手段】
【０００８】
上記の目的を達成するために、請求項１に係る発明は、各々が前後方向に延びるとともに後端部に左右方向に延びる支点軸を有する複数の鍵と、取付け部と、鍵ごとに設けられ、支点軸を支持するための複数の第１支持部とを有し、複数の鍵を左右方向に並んだ状態に保持する鍵盤シャーシと、第１支持部と協働して、支点軸を支持する軸受を構成することにより、支点軸を中心として、鍵を回動自在に支持する第２支持部を有し、取付け部に着脱自在に取り付けられた支点軸受部材と、を備え、鍵盤装置の組立時に、鍵が支点軸を介して第１支持部に係合しかつ鍵盤シャーシに保持された状態において、取付け部は、支点軸受部材が取り付けられる際に外部に臨み、支点軸受部材が上方または後方から取り付け可能に構成されており、支点軸は、左右の端部が鍵の左右の側壁からそれぞれ突出するように形成されており、第１支持部は、載置面に互いに左右方向に所定間隔を隔てて立設され、互いに対向する左右２つの側壁部と、これら２つの側壁部から互いに対向するように突出し、支点軸の端部の外周面に摺接する左右２つの第１円弧面と、を有し、第２支持部は、第１円弧面に対向しかつ支点軸の外周面に摺接する第２円弧面を有し、載置面に載置された状態で、載置面と支点軸の間に配置されていることを特徴とする。
【０００９】
この構成によれば、前後方向に延びる複数の鍵の各々が、後端部に左右方向に延びる支点軸を有していて、これらの鍵を左右方向に並んだ状態に保持する鍵盤シャーシが、鍵ごとに、支点軸を支持するための複数の第１支持部を有している。また、鍵盤シャーシの取付け部に着脱自在に取り付けられた支点軸受部材は、第２支持部を有していて、この第２支持部が、第１支持部と協働して、鍵の支点軸を支持する軸受を構成することにより、その支点軸を中心として、鍵を回動自在に支持する。このように、鍵盤シャーシの第１支持部および支点軸受部材の第２支持部により、鍵の支点軸をしっかりと支持することができ、鍵の安定した回動を確保することができる。
【００１０】
また、鍵盤装置の組立時に、鍵がその支点軸を介して第１支持部に係合しかつ鍵盤シャーシに保持された状態において、支点軸受部材が鍵盤シャーシの取付け部に取り付けられる際に、その取付け部が外部に臨んでいる。加えて、この取付け部は、支点軸受部材が上方または後方から取り付け可能に構成されている。これにより、鍵盤シャーシの取付け部への支点軸受部材の取付けの際に、その作業者は、取付け部の位置を容易に視認することができ、その取付け部に対し、支点軸受部材を上方または後方から接近させて、容易に取り付けることができる。また、支点軸受部材は、取付け部に対し、着脱自在であるので、例えば、電子鍵盤楽器を廃棄処分する際に、支点軸受部材を鍵盤シャーシから取り外すことにより、第１および第２支持部による軸受が解消され、それにより、鍵盤シャーシから鍵を容易に取り外すことができる。以上のように、本発明の鍵盤装置によれば、鍵の安定した回動を確保しながら、従来に比べて、組立性および分解性を向上させることができる。
【００１２】
また、上記の構成によれば、鍵盤シャーシの第１支持部が、左右２つの第１円弧面を有する一方、支点軸受部材の第２支持部が、第１円弧面に対向する第２円弧面を有している。また、両第１円弧面が、鍵の左右の側壁からそれぞれ突出する支点軸の端部の外周面に摺接し、第２円弧面が、支点軸の外周面に摺接する。このように、左右２つの第１円弧面と第２円弧面とによって構成される軸受面により、支点軸を３つの円弧面でバランス良く支持することができる。また、左右の第１円弧面が、載置面に立設された左右２つの側壁部から互いに突出するように設けられる一方、第２円弧面を有する第２支持部が、側壁部を介して第１円弧面と一体の載置面に載置された状態で、この載置面と支点軸の間に配置されている。これにより、第１円弧面および第２円弧面を、支点軸の径方向に不動に保持することができ、支点軸を安定して支持する軸受面を容易に構成することができる。
【００１３】
請求項２に係る発明は、請求項１に記載の電子鍵盤楽器の鍵盤装置において、各側壁部は、支点軸の対向する端面との間に隙間を存するように配置され、各第１円弧面は、その突出する端面が鍵の対向する側壁との間に隙間を存するように配置されていることを特徴とする。
【００１４】
この構成によれば、各側壁部と支点軸の対向する端面との間に隙間があり、また、各第１円弧面の突出する端面と鍵の対向する側壁との間に隙間があるので、それぞれの両者が接することによる摩擦の発生を防止でき、それにより、鍵の円滑な回動を確保することができる。
【００１５】
請求項３に係る発明は、請求項１または２に記載の電子鍵盤楽器の鍵盤装置において、取付け部および支点軸受部材の一方には、支点軸受部材が取付け部に取り付けられたときに取付け部および支点軸受部材の他方に当接し、第２円弧面を第１円弧面と同心状に配置するための位置決め部が設けられていることを特徴とする。
【００１６】
この構成によれば、鍵盤シャーシの取付け部に支点軸受部材を取り付けたときに、取付け部および支点軸受部材の一方に設けられた位置決め部が他方に当接することにより、第２支持部の第２円弧面が、第１支持部の第１円弧面と同心状に配置される。これにより、支点軸を適切に支持する軸受面を、第１および第２円弧面で容易に構成することができる。
【００１７】
請求項４に係る発明は、請求項１ないし３のいずれかに記載の電子鍵盤楽器の鍵盤装置において、支点軸受部材は、複数の第２支持部を有していることを特徴とする。
【００１８】
この構成によれば、支点軸受部材が、複数の第２支持部を有しているので、その支点軸受部材を鍵盤シャーシの取付け部に取り付けるだけで、複数の鍵の支点軸を支持する軸受を構成することができる。したがって、単一の第２支持部を有する支点軸受部材を、鍵ごとに１つずつ鍵盤シャーシの取付け部に取り付けたり、その支点軸受部材を１つずつ取り外したりする場合に比べて、鍵盤装置の組立性および分解性を、より向上させることができる。
【００１９】
請求項５に係る発明は、請求項１ないし４のいずれかに記載の電子鍵盤楽器の鍵盤装置において、鍵盤シャーシは、鍵ごとに、互いに前後方向に間隔を隔てて設けられ、押鍵時に、鍵の横振れを抑制するための前後２つの横振れ抑制部を、さらに有していることを特徴とする。
【００２０】
この構成によれば、鍵盤シャーシには、鍵ごとに、互いに前後方向に間隔を隔てた前後２つの横振れ抑制部が設けられているので、押鍵時における鍵の横振れや傾きなどのがたつきを効果的に抑制し、鍵のより安定した回動を確保することができる。
【図面の簡単な説明】
【００２１】
【図１】本発明の一実施形態による電子ピアノの鍵盤装置を示す側面図であり、（ａ）は離鍵状態、（ｂ）は白鍵の押鍵状態を示す。
【図２】鍵盤装置を部分的に示す平面図である。
【図３】図２に示す鍵盤装置を、鍵の後部を中心に拡大して示す斜視図である。
【図４】図３の分解斜視図である。
【図５】（ａ）は、鍵盤装置の後端部を拡大して示す平面図であり、（ｂ）〜（ｄ）はそれぞれ、（ａ）のｂ−ｂ線、ｃ−ｃ線およびｄ−ｄ線に沿う断面図である。
【発明を実施するための形態】
【００２２】
以下、図面を参照しながら、本発明の好ましい実施形態を詳細に説明する。図１は、本発明の一実施形態による電子ピアノの鍵盤装置を示している。同図に示すように、この鍵盤装置１は、鍵盤シャーシ２と、この鍵盤シャーシ２に回動自在に取り付けられた白鍵３ａおよび黒鍵３ｂから成る複数（例えば８８個）の鍵３と、鍵３ごとに鍵盤シャーシ２に回動自在に取り付けられた複数のハンマー４（１つのみ図示）などを備えている。
【００２３】
なお、以下の説明ではまず、図１を参照して、鍵盤装置１の構成および動作の概略を説明し、その後で、鍵盤シャーシ２による鍵３の支持構造、および鍵盤装置１の組立時における鍵盤シャーシ２への鍵３の取付け方法について詳述するものとする。
【００２４】
鍵盤シャーシ２は、所定の樹脂材料（例えばＡＢＳ樹脂）を射出成形することなどにより、所定形状の樹脂成形品で構成されている。鍵盤シャーシ２の前部（図１の左部）１１、中央部１２および後部（図１の右部）１３は、互いにリブ（図示せず）で連結された状態で一体に構成され、それぞれが左右方向（図１の表裏方向）に延びる前側取付けレール１４、中央取付けレール１５および後側取付けレール１６を介して、電子ピアノの図示しない棚板上に固定されている。なお、以下の説明では、鍵盤シャーシ２の前部１１、中央部１２および後部１３をそれぞれ、「シャーシ前部１１」、「シャーシ中央部１２」および「シャーシ後部１３」と称呼するものとする。
【００２５】
シャーシ前部１１は、上下方向に貫通する左右２つの係合孔１１ａ（図１では１つのみ図示）を一組とし、白鍵３ａごとに設けられた複数組の係合孔１１ａを有しており、各組の左右の係合孔１１ａに、対応する白鍵３ａの後述する左右の上限位置規制部２１が貫通した状態で係合している。また、シャーシ前部１１には、係合孔１１ａの前側の下縁部に、フェルトなどで構成された鍵ストッパ１１ｂが取り付けられている。離鍵状態において、白鍵３ａの上限位置規制部２１が鍵ストッパ１１ｂに下方から当接することで、白鍵３ａの上限位置が規制される。さらに、シャーシ前部１１には、白鍵３ａごとに、その横振れを防止するための複数の前側ガイド部１１ｃ（横振れ抑制部、図１では１つのみ図示）が立設されている。各前側ガイド部１１ｃは、白鍵３ａの内側の横幅（左右方向の幅）とほぼ同じ幅寸法を有していて、白鍵３ａの内側に下方から挿入されている。
【００２６】
シャーシ中央部１２は、左右方向に延びる支軸１２ａを有しており、この支軸１２ａにハンマー４が回動自在に支持されている。また、シャーシ中央部１２には、シャーシ前部１１との間に、各鍵３の押鍵情報を検出するための鍵スイッチ１７が取り付けられている。この鍵スイッチ１７は、プリント基板１７ａと、このプリント基板１７ａ上に鍵３ごとに取り付けられたゴムスイッチからなるスイッチ本体１７ｂとで構成されている。そして、この鍵スイッチ１７は、プリント基板１７ａの後端部がシャーシ中央部１２に差し込まれるとともに、プリント基板１７ａの前端部がシャーシ前部１３にねじ止めされた状態で、鍵盤シャーシ２に取り付けられている。
【００２７】
シャーシ後部１３は、鍵３の後端部に設けられた後述する支点軸２３を支持することにより、この支点軸２３を中心として、鍵３を回動自在に支持する鍵支持部１３ａを有している。また、鍵支持部１３ａの下面後端部には、フェルトなどで構成されたハンマーストッパ１３ｂが取り付けられている。さらに、シャーシ後部１３には、鍵支持部１３ａの前側に、鍵３の後端部の左右両側に配置され、鍵３の横振れを防止するための左右２つの後側ガイド部１３ｃ（横振れ抑制部、図１では１つのみ図示）が立設されている。
【００２８】
また、シャーシ後部１３とシャーシ中央部１２との間には、鍵３とハンマー４の間に、ほぼ水平な平板部１８が設けられている。この平板部１８の前端部には、黒鍵３ｂごとに、その横振れを防止するための複数の前側ガイド部１８ａ（横振れ抑制部、図１では１つのみ図示）が立設されている。各前側ガイド部１８ａは、白鍵３ａの前記前側ガイド部１１ｃと同様、対応する黒鍵３ｂの内側の横幅と同じ幅寸法を有し、黒鍵３ｂの内側に下方から挿入されている。
【００２９】
なお、平板部１８には、ハンマー４ごとに、平板部１８の下面から斜め下前方に突出し、弾性材料で構成された複数のレットオフ部材１９（図１では１つのみ図示）が取り付けられている。このレットオフ部材１９は、押鍵に伴って回動するハンマー４が、その回動中に一時的に係合することにより、鍵３のタッチ感にレットオフ感を付与するものである。
【００３０】
鍵３は、所定の樹脂材料（例えばＡＳなど）を射出成形することなどにより、前後方向に延びるとともに、下方に開放する中空状に形成されている。白鍵３ａの前端部には、左右の側壁から下方に延びかつその下端部が前方に屈曲するように形成された左右一対の上限位置規制部２１、２１（図１では１つのみ図示）が設けられており、前記シャーシ前部１１の左右の係合孔１１ａ、１１ａにそれぞれ貫通した状態で係合している。また、白鍵３ａは、上限位置規制部２１よりも後方の所定位置に、下方に突出するアクチュエータ部２２を有しており、このアクチュエータ部２２が、ハンマー４の後述する係合凹部２６ｂに収容された状態で、これに係合している。さらに、鍵３の後端部には、左右方向に延びる支点軸２３が設けられている。なお、黒鍵３ｂについては、白鍵３ａの上限位置規制部２１およびアクチュエータ部２２に相当する部分が、黒鍵３ｂの前端部の下方に一体に設けられている。
【００３１】
ハンマー４は、ハンマー本体２４と、このハンマー本体２４に着脱自在に取り付けられた錘２５とで構成されている。ハンマー本体２４は、所定の樹脂材料（例えばＰＯＭ（ポリアセタール）など）を射出成形することなどにより、所定形状の樹脂成形品で構成されている。このハンマー本体２４は、前後方向に延び、その前半部（図１の左半部）２６の所定位置に、側面形状が下方に開放するＵ字状の軸受部２６ａを有しており、この軸受部２６ａが、シャーシ中央部１２の支軸１２ａに回動自在に係合している。また、ハンマー本体２４の前半部２６には、軸受部２６ａの前方に、鍵３のアクチュエータ部２２に係合する係合凹部２６ｂが設けられている。この係合凹部２６ｂは、上方および前方に開放しており、鍵３のアクチュエータ部２２の下端が係合凹部２６ｂ内の底面に当接した状態で、アクチュエータ部２２の下部を収容している。さらに、ハンマー本体２４の前半部２６には、係合凹部２６ｂの下方に、鍵スイッチ１７のスイッチ本体１７ｂを押圧するためのスイッチ押圧部２６ｃが設けられている。
【００３２】
ハンマー本体２４の後半部である錘取付け部２７は、右方（図１の表側）に開放する開口部２８を有しており、この開口部２８を介して、錘２５がハンマー本体２４に着脱自在に取り付けられている。また、ハンマー本体２４の錘取付け部２７の所定位置には、上方に突出し、押鍵時に、前記レットオフ部材１９に係合する係合突起２７ａが設けられている。
【００３３】
一方、錘２５は、ハンマー本体２４よりも比重の大きな材料（例えば鉄などの金属）で構成され、ハンマー本体２４の厚さ（図１の表裏方向の厚さ）よりも薄い金属板をプレス加工することなどによって、所定形状に形成されている。この錘２５は、前後方向に延び、その前半部に、ハンマー本体２４の錘取付け部２７に取り付けられた被取付け部２９を有している。また、錘２５は、その被取付け部２９から、シャーシ後部１３の後端付近まで後方に延び、後端部の縦幅（上下方向の幅）が比較的大きく形成されている。
【００３４】
以上のように構成された鍵盤装置１では、図１（ａ）に示す離鍵状態において、鍵３（同図では白鍵３ａ）を押鍵すると、同図（ｂ）に示すように、鍵３が後端部の支点軸２３を中心として反時計方向に回動する。これに伴い、鍵３のアクチュエータ部２２が、ハンマー４の係合凹部２６ｂを下方に押圧する。それにより、ハンマー４は、シャーシ中央部１２の支軸１２ａを中心として反時計方向に回動しながら、スイッチ押圧部２６ｃで鍵スイッチ１７のスイッチ本体１７ｂを上方から押圧する。なお、この場合、ハンマー４は、その後端部（錘２５の後端部）がシャーシ後部１３のハンマーストッパ１３ｂに下方から当接することによって、それ以上の回動が阻止される。以上の押鍵動作により、ハンマー４の重量およびトルクに応じた所定のタッチ重さが、鍵３に付与されるとともに、鍵３の押鍵情報が鍵スイッチ１７を介して検出される。
【００３５】
一方、押鍵した鍵３を離鍵すると、ハンマー４が上記と逆方向に回動し、それに伴い、鍵３が、アクチュエータ部２２を介して押し上げられることにより、上記と逆方向に回動する。その結果、鍵３およびハンマー４が、図１（ａ）に示すように、もとの離鍵状態に復帰する。なお、この場合、鍵３は、その前端部の上限位置規制部２１がシャーシ前部１１の鍵ストッパ１１ｂに下方から当接することによって、それ以上の回動が阻止される。
【００３６】
次に、図２〜図５を参照して、鍵盤シャーシ２による鍵３の支持構造、および鍵盤装置１の組立時における鍵盤シャーシ２への鍵３の取付け方法について説明する。図２は、複数（同図では８つ）の鍵３が、左右方向に並んだ状態で鍵盤シャーシ２に支持された鍵盤装置１を部分的に示しており、図３は、図２に示す鍵盤装置１を、鍵３の後部を中心に拡大して示す斜視図、図４は、その分解斜視図である。これらの図に示すように、鍵３の後部３１（以下単に「鍵後部３１」という）は、それよりも前側の部分に対し、横幅（左右方向の幅）が狭く形成されるとともに、後ろ上がりに若干傾斜している。そして、鍵後部３１の所定位置に、鍵３の回動支点としての前記支点軸２３が設けられている。
【００３７】
この支点軸２３は、左右方向に延びるとともに断面円形に形成され、左右の端部２３ａ、２３ａがそれぞれ、鍵後部３１の左右の側壁３１ａ、３１ａから所定長さ突出している。また、支点軸２３のほぼ下半部が、鍵後部３１の側壁３１ａよりも下方に張り出すように形成されている（図５（ｂ）および（ｃ）参照）。そして、前述したように、前記鍵支持部１３ａにより、各鍵３の支点軸２３が支持されている。
【００３８】
シャーシ後部１３の鍵支持部１３ａは、シャーシ後部１３自体に直接設けられたシャーシ側鍵支持部３２（取付け部）と、このシャーシ側鍵支持部３２に着脱自在に取り付けられた支点軸受部材３３などで構成されている。図３および図４に示すように、シャーシ側鍵支持部３２は、平面形状が横長矩形状でかつ前下がりに傾斜するガイド面３４（載置面）と、このガイド面３４上に互いに左右方向に所定間隔を隔てて並設された複数（図４では９つのみ図示）の鍵仕切支持部３５（第１支持部）とを有している。
【００３９】
図４および図５に示すように、各鍵仕切支持部３５は、隣り合う２つの鍵３、３の鍵後部３１、３１を仕切るとともに、両鍵３、３の支点軸２３、２３の互いに対向する端部２３ａ、２３ａを支持するように構成されている。具体的には、鍵仕切支持部３５は、前後方向に延び、ガイド面３４に立設された仕切壁部３６（側壁部）と、この仕切壁部３６の前端部に設けられた支点軸係合部３７とで構成されている。仕切壁部３６は、対向する支軸２３の端面との間に、若干の隙間が存するように配置されている。また、仕切壁部３６の後端部には、上方に開放し、支点軸受部材３３をねじ止めするための取付け穴３６ａが設けられている。一方、支点軸係合部３７は、仕切壁部３６を中心として、その厚さよりも幅広の横幅を有し、ガイド面３４から上方に延びるとともに上方に凸に湾曲して後方に延び、側面形状が逆Ｊ字状に形成されている。なお、図５（ｃ）に示すように、支点軸係合部３７の後端とガイド面３４との間の距離Ｈは、支点軸２３の直径よりも若干大きくなっている。
【００４０】
また、支点軸係合部３７の上部内面には、仕切壁部３６から突出し、支点軸２３の端部２３ａの外周面に摺接する円弧面３７ａ（第１円弧面、図５（ｃ）参照）が設けられている。この円弧面３７ａは、支点軸２３の外周面と同じ曲率を有し、ほぼ１／２円状に形成されている。また、支点軸係合部３７（円弧面３７ａ）は、対向する鍵後部３１の側壁３１ａとの間に、若干の隙間が存するように配置されている。
【００４１】
一方、支点軸受部材３３は、鍵盤シャーシ２と同様、所定の樹脂材料（例えばＡＢＳ樹脂）を射出成形することなどにより、所定形状の樹脂成形品で構成されている。図４および図５に示すように、支点軸受部材３３は、左右方向に延び、自身をシャーシ側鍵支持部３２に取り付けるための装着部４１と、この装着部４１から前方に突出し、互いに左右方向に所定間隔を隔てて並設された複数の支点軸支持部４２（第２支持部）とで構成されている。
【００４２】
装着部４１は、平面形状が横長矩形状の平板部４３と、この平板部４３の後端部において、上方に若干突出しかつ下方に所定長さ垂下するように形成された後壁部４４とにより、側面形状がほぼＬ字状に形成されている。平板部４３には、その長さ方向に沿って、前記鍵仕切支持部３５の取付け穴３６ａに対応するように、上下方向に貫通する複数（図４では８つのみ図示）の孔４３ａが形成されている。また、後壁部４４の前面には、前方に若干突出し、鍵仕切支持部３５ごとに、その仕切壁部３６の後端面に当接する位置決め部４４ａ（図５（ｄ）参照）が設けられている。
【００４３】
支点軸支持部４２は、隣り合う左右の鍵仕切支持部３５、３５間の距離よりも短い所定寸法の横幅を有し、平板部４３よりも前方に所定長さ延びている。また、支点軸支持部４２の上面には、その前端部に、前下がりの傾斜面４２ａが設けられ、その後方に、支点軸２３の中央部２３ｂの外周面に摺接する円弧面４２ｂ（第２円弧面）が設けられている。この円弧面４２ｂは、鍵仕切支持部３５の前記円弧面３７ａと同様の曲率を有し、ほぼ１／４円状に形成されている。
【００４４】
以上のように構成された支点軸受部材３３は、各支点軸支持部４２が、シャーシ側鍵支持部３２のガイド面３４に載置されるとともに隣り合う左右の鍵仕切支持部３５、３５間に配置された状態で、シャーシ側鍵支持部３２に、複数（図２〜４では３つのみ図示）のねじ４５によってねじ止めされている。この場合、図５に示すように、各鍵３の支点軸２３は、両端部２３ａ、２３ａがそれぞれ、左右の鍵仕切支持部３５、３５の支点軸係合部３７、３７によって上方から支持され、支点軸２３の中央部２３ｂが支点軸受部材３３の支点軸支持部４２によって下方から支持される。このように、支点軸受部材３３の各支点軸支持部４２が、対応する左右の鍵仕切支持部３５、３５の支点軸係合部３７、３７と協働して、鍵３の支点軸２３を支持する軸受を構成し、その軸受面が、支点軸係合部３７、３７および支点軸支持部４２の円弧面３７ａ、３７ａ、４２ｂで構成されている。これにより、鍵３は、支点軸２３を中心として回動自在に支持されている。
【００４５】
次に、鍵盤装置１の組立時における鍵盤シャーシ２への鍵３の取付け方法について、図４および図５を参照して説明する。まず、鍵盤シャーシ２上において、複数の鍵３を左右方向に並んだ状態に配置する。具体的には、各鍵３の鍵後部３１を、図４の矢印で示すように、左右の鍵仕切支持部３５、３５の間、および左右の後側ガイド部１３ｃ、１３ｃの間に上方から通し、その鍵３の支点軸２３をガイド面３４に載置する。なおこの場合、支点軸２３は、左右の支点軸係合部３７、３７よりも若干後方に位置する。次いで、鍵３を前方へ若干スライドさせ、支点軸２３の両端部２３ａ、２３ａをそれぞれ、左右の支点軸係合部３７、３７に係合させる。このようにして、複数の鍵３をそれぞれ、所定の支点軸係合部３７、３７に係合させることにより、それらの鍵３が鍵盤シャーシ２上において左右方向に並んだ状態に配置される。
【００４６】
次いで、支点軸受部材３３を、図４の矢印で示すように、シャーシ側鍵支持部３２に上方または後方から接近させ、各支点軸支持部４２を、対応する左右の鍵仕切支持部３５、３５間に位置させた状態で、ガイド面３４に載置する。そして、支点軸受部材３３を、ガイド面３４に沿って前方にスライドさせ、位置決め部４４ａを鍵仕切支持部３５（仕切壁部３６）の後端面に当接させる。この場合、各支点軸支持部４２は、その前端部の傾斜面４２ａで支点軸２３を若干持ち上げながら、ガイド面３４との間に挿入される。これにより、図５に示すように、各鍵３の支点軸２３は、両端部２３ａ、２３ａが、左右の鍵仕切支持部３５、３５における支点軸係合部３７、３７の円弧面３７ａ、３７ａに支持される一方、支点軸２３の中央部２３ｂが、支点軸受部材３３の支点軸支持部４２の円弧面４２ｂに支持される。
【００４７】
そして、支点軸受部材３３の平板部４３の複数の孔４３ａに対し適宜、ねじ４５を挿入し、シャーシ側鍵支持部３２の取付け穴３６ａにねじ込む。このようなねじ止めにより、支点軸受部材３３が、左右方向に適正に位置決めされる。なお、支点軸受部材３３またはシャーシ側鍵支持部３２に、支点軸受部材３３を左右方向に位置決めするための位置決め部を設けてもよい。
【００４８】
以上により、支点軸受部材３３がシャーシ側鍵支持部３２にねじ止めされ、これにより、鍵盤シャーシ２への鍵３の取付けが終了する。なお、鍵盤シャーシ２から鍵３を取り外す場合には、上記と逆の手順で、容易に取り外すことができる。
【００４９】
以上詳述したように、本実施形態によれば、左右の鍵仕切支持部３５、３５の支点軸係合部３７、３７と、支点軸受部材３３の支点軸支持部４２とにより、鍵３の支点軸２３を支持する軸受を構成するので、その支点軸２３をバランス良くしっかりと支持することができる。また、支点軸受部材３３の支点軸支持部４２が、支点軸係合部３７と一体のガイド面３４と、支点軸２３との間に配置されているので、支点軸係合部３７の円弧面３７ａと支点軸支持部４２の円弧面４２ｂとで構成される軸受面を、支点軸２３の径方向に不動に保持することができ、支点軸２３を安定して支持する軸受面を容易に構成することができる。さらに、鍵仕切支持部３５の仕切壁部３６と、これに対向する支点軸２３の端面との間、および支点軸係合部３７と、これに対向する鍵後部３１の側壁３１ａとの間に隙間があるので、これらが接することによる摩擦の発生を防止することができる。さらにまた、鍵３は、前側ガイド１１ｃ、１８ａおよび後側ガイド１３ｃにより、互いに前後方向に間隔を隔てた前後２つのガイドにより、押鍵時の横振れや傾きなどのがたつきを抑制することができる。以上により、本実施形態の鍵盤装置１によれば、鍵３の支点軸２３をバランス良くしっかりと支持することができ、鍵３の円滑かつ安定した回動を確保することができる。
【００５０】
また、鍵盤装置１の組立時には、支点軸受部材３３を取り付けるべき鍵盤シャーシ２のシャーシ側鍵支持部３２が外部に露出しているので、その作業者は、シャーシ側鍵支持部３２の位置を容易に視認することができ、そのシャーシ側鍵支持部３２に対し、支点軸受部材３３を上方または後方から接近させて、容易に取り付けることができる。加えて、電子ピアノを廃棄処分する際には、支点軸受部材３３を、取付け時と逆の手順でシャーシ側鍵支持部３２から取り外すことにより、鍵盤シャーシ２から鍵３を容易に取り外すことができる。以上により、本実施形態の鍵盤装置１によれば、従来に比べて、組立性および分解性を向上させることができる。
【００５１】
なお、本発明は、説明した上記実施形態に限定されることなく、種々の態様で実施することができる。鍵盤装置１の組立時に支点軸受部材３３を取り付けるべき鍵盤シャーシ２のシャーシ側鍵支持部３２については、支点軸受部材３３の取付けの際に、外部に露出し、支点軸受部材３３を容易に取付け可能であれば、種々の構成を採用することが可能である。また、支点軸受部材３３における支点軸支持部４２の数は、特に限定されるものではないが、例えば、単一の支点軸受部材３３に、１オクターブ分（１２個）の支点軸支持部４２を設けるようにすることが好ましい。また、実施形態で示した鍵盤装置１の細部の構成などは、あくまで例示であり、本発明の趣旨の範囲内で適宜、変更することができる。
【符号の説明】
【００５２】
１    鍵盤装置
２    鍵盤シャーシ
３    鍵
１１ｃ  白鍵用の前側ガイド部（横振れ抑制部）
１３ａ  鍵支持部
１３ｃ  後側ガイド部（横振れ抑制部）
１８ａ  黒鍵用の前側ガイド部（横振れ抑制部）
２３    支点軸
２３ａ  支点軸の端部
２３ｂ  支点軸の中央部
３１    鍵後部
３１ａ  鍵後部の側壁
３２    シャーシ側鍵支持部（取付け部）
３３    支点軸受部材
３４    ガイド面（載置面）
３５    鍵仕切支持部（第１支持部）
３６    仕切壁部（側壁部）
３７    支点軸係合部
３７ａ  円弧面（第１円弧面）
４２    支点軸支持部（第２支持部）
４２ｂ  円弧面（第２円弧面）
４４ａ  位置決め部
【図１】
0005547921.tif 000002
【図２】
0005547921.tif 000003
【図３】
0005547921.tif 000004
【図４】
0005547921.tif 000005
【図５】
0005547921.tif 000006